(57)【要約】【課題】高速に色が動く画像であっても、輝度信号に色信号が残ってドット妨害が発生することを防止する。【解決手段】ライン相関Ｙ／Ｃ分離回路１２は入力映像信号のライン相関を求めてライン相関処理輝度信号を得る。フレーム相関Ｙ／Ｃ分離回路１４は入力映像信号のフレーム相関を求めてフレーム相関処理輝度信号を得る。一方、フレーム非相関による動きの検出結果は、混合比補正回路１７に与えられて、混合比が算出される。高域成分検出回路１５はフレーム相関処理輝度信号に高域成分が含まれ、ライン相関処理輝度信号に高域成分が含まれていないことを検出すると、混合比補正回路１７を制御して、ライン相関処理輝度信号の混合比を高くさせる。ミックス回路１６からは動画Ｙ／Ｃ分離処理による出力成分が多くなるので、フレーム相関Ｙ／Ｃ分離処理によっては分離できない、高速に色が動く画像であっても、出力輝度信号に色成分が残ることを防止してドット妨害を軽減することができる。【選択図】      図１
2007134824.tif 000002
【特許請求の範囲】
【請求項１】
入力映像信号の画面内相関を利用して前記入力映像信号から第１の輝度信号を分離する第１の分離手段と、
入力映像信号の画面間相関を利用して前記入力映像信号から第２の輝度信号を分離する第２の分離手段と、
前記第１及び第２の分離手段からの第１及び第２の輝度信号の高域成分を検出し、第１の輝度信号の高域成分が第１の閾値よりも小さく、且つ第２の輝度信号の高域成分が第２の閾値よりも大きいことを検出して検出結果を出力する高域成分検出手段と、
入力映像信号の動きを判定して動き判定結果を出力する動き判定手段と、
前記動き判定結果に基づいて前記第１及び第２の輝度信号の混合比を求めると共に、求めた混合比を前記高域成分検出手段からの検出結果に基づいて補正する混合比設定手段と、
前記混合比設定手段によって設定された混合比で前記第１及び第２の輝度信号を混合して出力輝度信号を出力するミックス手段と、
を具備したことを特徴とするＹ／Ｃ分離回路。
【請求項２】
前記混合比設定手段は、前記高域成分検出手段からの検出結果によって、第１の輝度信号の高域成分が第１の閾値よりも小さく、且つ第２の輝度信号の高域成分が第２の閾値よりも大きいことが示された場合には、前記動き判定結果に基づいて求めた混合比を前記第１の輝度信号の混合比率が高くなるように補正することを特徴とする請求項１に記載のＹ／Ｃ分離回路。
【請求項３】
前記混合比設定手段は、前記動き判定結果に基づいて求めた混合比に所定の補正値を加算することで、前記第１の輝度信号の混合比率が高くなるように補正することを特徴とする請求項２に記載のＹ／Ｃ分離回路。
【請求項４】
入力映像信号の画面内相関を利用して前記入力映像信号から第１の輝度信号を分離する第１の分離手段と、
入力映像信号の画面間相関を利用して前記入力映像信号から第２の輝度信号を分離する第２の分離手段と、
前記第１及び第２の分離手段からの第１及び第２の輝度信号の高域成分を検出し、第１の輝度信号の高域成分が第１の閾値よりも小さく、且つ第２の輝度信号の高域成分が第２の閾値よりも大きいことを検出して検出結果を出力する高域成分検出手段と、
入力映像信号の動きを判定して動き判定結果を出力する動き判定手段と、
前記動き判定結果に基づいて前記第１及び第２の輝度信号の混合比を設定する混合比設定手段と、
前記混合比設定手段によって設定された混合比で前記第１及び第２の輝度信号を混合して出力信号を出力するミックス手段と、
前記高域成分検出手段からの検出結果に基づいて、前記ミックス手段の出力信号と前記第１の分離手段からの第１の輝度信号とのいずれかを出力輝度信号として出力する切換手段と、
を具備したことを特徴とするＹ／Ｃ分離回路。
【請求項５】
前記高域成分検出手段は、
前記第１及び第２の輝度信号の高域成分を検出する第１及び第２のフィルタ手段と、
前記第１及び第２のフィルタ手段の出力を夫々前記第１の閾値及び第２の閾値と比較する第１及び第２の比較手段と、
前記第１及び第２の比較手段の出力のアンド演算を行って２値の検出結果を出力するアンド演算手段と、
を具備したことを特徴とする請求項１に記載のＹ／Ｃ分離回路。
【発明の詳細な説明】
【技術分野】
【０００１】
本発明は、映像信号の輝度信号と色信号とを分離するＹ／Ｃ分離回路に関する。
【背景技術】
【０００２】
従来、テレビジョン受像機及びビデオテープレコーダ等においては、輝度信号と色信号との分離（以下、Ｙ／Ｃ分離という）性能を向上させるために、絵柄の動きに適応させた３次元のＹ／Ｃ分離回路を採用したものがある。３次元Ｙ／Ｃ分離回路は、画面間、例えばフレーム間の演算によって輝度信号と色信号を分離する静画Ｙ／Ｃ分離処理と、画面内、例えばライン間の演算によって輝度信号と色信号とを分離する動画Ｙ／Ｃ分離処理とを行う。
【０００３】
３次元Ｙ／Ｃ分離回路については、特許文献１等に詳述されている。
【０００４】
３次元Ｙ／Ｃ分離回路は、絵柄の動きを、入力された複合映像信号のフレーム差分値（フレーム非相関）の大小によって検出しており、動きの検出結果に応じて、動画Ｙ／Ｃ分離処理と静画Ｙ／Ｃ分離処理とを適応的に切換えるようになっている。従って、３次元Ｙ／Ｃ分離回路においては、動きの検出と動き適応動作とがＹ／Ｃ分離性能を決定する大きな要因となっている。
【０００５】
３次元Ｙ／Ｃ分離回路の静画Ｙ／Ｃ分離処理においては、例えば、ＮＴＳＣ方式の映像信号の色信号がフレーム毎に位相が反転していることを利用して、フレーム間の映像信号の加減算によって輝度信号と色信号との分離を行う。また、３次元Ｙ／Ｃ分離回路の動画Ｙ／Ｃ分離処理においては、色信号の位相がライン毎に反転していることを利用して、ライン間の映像信号の加減算によって輝度信号と色信号との分離を行う。
【０００６】
これらのフレーム相関に応じたＹ／Ｃ分離処理と、ライン相関に応じたＹ／Ｃ分離処理とは、いずれも、演算対象の映像信号同士が同一の絵柄に基づくものである場合に、確実に輝度信号と色信号とを分離することができる。静止画では、前後のフレームの絵柄は同一であり、静画Ｙ／Ｃ分離処理は高い分離性能を得ることができる。動画では、比較的大きな絵柄のように、上下のラインの映像信号同士の相関が高い場合には動画Ｙ／Ｃ分離性能は高いが、細かい絵柄のように、上下のラインの映像信号同士の相関が低い場合には、動画Ｙ／Ｃ分離性能は比較的低くなる。このため、３次元Ｙ／Ｃ分離回路では、静画Ｙ／Ｃ分離処理がより活用されるように、Ｙ／Ｃ分離対象の領域が静画であるか動画であるかの判定及び動き適応動作の設定が行われている。
【０００７】
このような３次元Ｙ／Ｃ分離回路における動きの判定（フレーム非相関）検出では、輝度の動きを検出する１フレーム非相関検出と、色の動きを検出する２フレーム非相関検出とが行われる。これらの１フレーム非相関及び２フレーム非相関の検出結果を用いて動きの判定が行われる。
【０００８】
画像の動きを判定するためには、１フレーム前後の映像信号同士の差分を求めればよい。しかし、色信号は１フレーム前後で位相が反転しており、フレーム前後の映像信号同士の差分には色成分が含まれる。そこで、ＮＴＳＣ方式の色信号の帯域が３．６ＭＨｚ±１．５ＭＨｚであることを利用して、低域成分（例えば２ＭＨｚ以下）を通過させるローパスフィルタを用い、１フレーム前後の映像信号の差分をローパスフィルタで帯域制限することにより、輝度信号の動きを検出する。
【０００９】
しかしながら、帯域制限していることから、１フレーム相関だけでは、細かい絵柄の動き、及び色の動きを検出することができない。そこで、２フレーム前後の映像信号の相関を検出する。２フレーム前後では、色信号は同相であり、２フレーム前後の映像信号の差分を求めることにより、色の動きを検出することができる。
【００１０】
しかしながら、動き検出は２フレーム前後で行うのに対し、Ｙ／Ｃ分離処理は１フレーム前後の映像信号を用いる。このため、色のみの早い動きを検出することはできない。例えば、輝度に変化がなく色のみが変化して２フレームよりも短い期間で元に戻るような検出不能の早い動きがあった場合には、静止画と判断されて静画Ｙ／Ｃ分離処理が行われてしまう。即ち、この場合には、非相関な前後のフレームで演算が行われて、Ｙ／Ｃ分離性能が低下してしまう。
【００１１】
例えば、周囲との輝度差が小さく、周囲との色が異なる物体が高速に移動する画像や、暗い画面に一瞬光る画像等において、Ｙ／Ｃ分離性能が低下してしまう。この場合には、３次元Ｙ／Ｃ分離回路から出力される輝度信号成分に色信号成分が含まれてしまい、画面上にドット妨害が現れてしまうという問題点があった。
【００１２】
また、動く絵柄が赤や青等の低輝度の絵柄の場合にも、１フレーム前後の差分（輝度低域成分）を検出することはできない。この場合にも、画面上にドット妨害が現れてしまう。
【特許文献１】特開平４−１８９０９５号公報
【発明の開示】
【発明が解決しようとする課題】
【００１３】
本発明は、輝度信号と色信号との分離処理後の輝度信号に色信号成分が残ることを防止してドット妨害を軽減することができるＹ／Ｃ分離回路を提供することを目的とする。
【課題を解決するための手段】
【００１４】
本発明の一態様のＹ／Ｃ分離回路は、入力映像信号の画面内相関を利用して前記入力映像信号から第１の輝度信号を分離する第１の分離手段と、入力映像信号の画面間相関を利用して前記入力映像信号から第２の輝度信号を分離する第２の分離手段と、前記第１及び第２の分離手段からの第１及び第２の輝度信号の高域成分を検出し、第１の輝度信号の高域成分が第１の閾値よりも小さく、且つ第２の輝度信号の高域成分が第２の閾値よりも大きいことを検出して検出結果を出力する高域成分検出手段と、入力映像信号の動きを判定して動き判定結果を出力する動き判定手段と、前記動き判定結果に基づいて前記第１及び第２の輝度信号の混合比を求めると共に、求めた混合比を前記高域成分検出手段からの検出結果に基づいて補正する混合比設定手段と、前記混合比設定手段によって設定された混合比で前記第１及び第２の輝度信号を混合して出力輝度信号を出力するミックス手段と、を具備したことを特徴とする。
【発明の効果】
【００１５】
本発明によれば、輝度信号と色信号との分離処理後の輝度信号に色信号成分が残ることを防止してドット妨害を軽減することができるという効果を有する。
【発明を実施するための最良の形態】
【００１６】
以下、図面を参照して本発明の実施の形態について詳細に説明する。図１は本発明の第１の実施の形態に係るＹ／Ｃ分離回路を示すブロック図である。なお、図１の回路は輝度信号処理系のみを示したものである。色信号処理系の構成は従来と同様であり、図示を省略する。
【００１７】
＜第１の実施の形態＞
入力映像信号はラインメモリ部１１及びフレームメモリ部１３に供給される。ラインメモリ部１１は入力映像信号を少なくとも１水平期間遅延させるメモリを有する。ラインメモリ部１１は、１水平期間前後の映像信号をライン相関Ｙ／Ｃ分離回路１２に出力するようになっている。フレームメモリ部１３は入力映像信号を少なくとも１フレーム期間又は２フレーム期間遅延させることができる。フレームメモリ部１３は１フレーム期間前後の映像信号をフレーム相関Ｙ／Ｃ分離回路１４及び１フレーム差分回路２２に出力すると共に、２フレーム期間前後の映像信号を２フレーム差分回路２１に出力するようになっている。
【００１８】
第１の分離手段としてのライン相関Ｙ／Ｃ分離回路１２は、画面内の映像信号同士の演算によって、動画Ｙ／Ｃ分離処理を行うものである。例えば、ライン相関Ｙ／Ｃ分離回路１２は、１水平期間前後の映像信号同士を加算することで、入力された映像信号から輝度信号成分を分離する。一方、第２の分離手段としてのフレーム相関Ｙ／Ｃ分離回路１４は、画面間の映像信号同士の演算によって、静画Ｙ／Ｃ分離処理を行うものである。例えば、フレーム相関Ｙ／Ｃ分離回路１４は、１フレーム期間前後の映像信号同士を加算することで、入力された映像信号から輝度信号成分を分離する。
【００１９】
なお、ライン相関Ｙ／Ｃ分離回路１２は、画面内の処理を行うものであれば、種々の構成を採用することができる。同様に、フレーム相関Ｙ／Ｃ分離回路１４は、画面間の処理を行うものであれば、種々の構成を採用することができる。例えば、ライン相関Ｙ／Ｃ分離回路１２は、１水平期間前後の映像信号同士を減算し、減算結果からバンドパスフィルタによって色搬送波帯域の成分（動画時の色信号）のみを分離し、入力された映像信号から、動画時の色信号を減算することで、動画時の輝度信号を求めてもよい。
【００２０】
ライン相関Ｙ／Ｃ分離回路１２からの輝度信号（ライン相関処理輝度信号）は、ミックス回路１６に供給されると共に、高域成分検出回路１５にも供給されるようになっている。また、フレーム相関Ｙ／Ｃ分離回路１４からの輝度信号（フレーム相関処理輝度信号）は、ミックス回路１６に供給されると共に、高域成分検出回路１５にも供給されるようになっている。
【００２１】
ミックス回路１６は、ライン相関処理輝度信号とフレーム相関処理輝度信号とを、混合比制御信号によって指定された混合比で混合して、出力輝度信号を得るようになっている。例えば、ミックス回路１６は、ライン相関処理輝度信号のレベルを動画Ｙとし、フレーム相関処理輝度信号のレベルを静画Ｙとして、混合比としてＫが指定された場合には、下記（１）式の演算によって出力輝度信号を得る。
【００２２】
出力輝度信号＝静画Ｙ＋（動画Ｙ−静画Ｙ）×Ｋ      …（１）
なお、ミックス回路１６による輝度信号の混合の方法は上記（１）式に限定されるものではない。
【００２３】
２フレーム差分回路２１、１フレーム差分回路２２、ローパスフィルタ２３及び非線形処理／加重平均回路２４によって、フレーム非相関を検出する動き判定回路が構成される。
【００２４】
１フレーム差分回路２２は、１フレーム前後の映像信号同士の差分を求めて出力する。１フレーム差分回路２２の出力は、１フレーム非相関成分であり、輝度の動き成分と色成分とが含まれたものである。１フレーム差分回路２２の出力はローパスフィルタ２３に与えられる。ローパスフィルタ２３は、入力された１フレーム非相関成分から例えば２ＭＨｚ以下の低域成分、即ち、色搬送波帯域を除く成分を通過させる。ローパスフィルタ２３からは輝度低域の動き成分が出力されることになる。
【００２５】
一方、２フレーム差分回路２１は、２フレーム前後の映像信号同士の差分を求めて出力する。２フレーム差分回路２１の出力は、２フレーム非相関成分であり、色の動き成分を含む。
【００２６】
２フレーム差分回路２１の出力及びローパスフィルタ２３の出力は非線形処理／加重平均回路２４に供給される。非線形処理／加重平均回路２４は、入力された１フレーム非相関成分（輝度低域の動き成分）及び２フレーム非相関成分（色の動き成分）を用いて、非相関検出結果を得る。非線形処理／加重平均回路２４は、種々の方法によって非相関検出結果を得ることができる。例えば、非線形処理／加重平均回路２４は、２入力に夫々所定の重み付けを付して加算することで、非相関検出結果を得るようにしてもよい。また例えば、非線形処理／加重平均回路２４は、２入力の平均や最大値を非相関検出結果として出力してもよい。非相関検出結果は動きの度合いを示すものである。
【００２７】
非線形処理／加重平均回路２４は、２フレーム非相関を利用しており、上述したように、色の早い動きを検出することができない。このため、非線形処理／加重平均回路２４からの非相関検出結果をそのまま用いてミックス回路１６の混合比を制御すると、色の早い動きによって、輝度信号中に色信号が含まれて出力され、画面上にドット妨害が生じることがある。
【００２８】
即ち、低域の動きが小さく、高域の動きが早い画像について、動きの判定が誤判定となり、静画Ｙ／Ｃ分離処理が採用されたことで、ドット妨害が生じるものと考えられる。色が高速に動く画像であれば、静画Ｙ／Ｃ分離処理ではなく、動画Ｙ／Ｃ分離処理の出力の混合比を高くすべきであると考えられる。つまり、このような画像におけるドット妨害の症状は、静画Ｙ／Ｃ分離処理の出力の度合いが高くなることで、出力輝度信号中に色信号成分が残ることによって生じるものであり、動画Ｙ／Ｃ分離処理では現れない。
【００２９】
そこで、本実施の形態においては、出力輝度信号中に色信号成分が残っているか否かを判定し、残っている場合には、動画Ｙ／Ｃ分離処理の出力の混合比をより高く設定することで、ドット妨害の発生を軽減するようになっている。
【００３０】
出力輝度信号中に色信号成分が残っているか否かは、
判定条件（ａ）…動画Ｙ／Ｃ分離処理の出力に、高い周波数成分が含まれないか又は小さいこと
判定条件（ｂ）…静画Ｙ／Ｃ分離処理の出力に、高い周波数成分が含まれるか又は大きいこと
を検出することにより判定可能である。
【００３１】
例えば、動画Ｙ／Ｃ分離処理の出力及び静画Ｙ／Ｃ分離処理の出力の両方に、高い周波数成分が含まれているか又は大きい場合には、出力輝度信号に元々高域成分が含まれていると判断することができ、出力輝度信号中の高域成分は輝度信号高域成分である。動画Ｙ／Ｃ分離処理の出力及び静画Ｙ／Ｃ分離処理の出力の両方に、高い周波数成分が含まれていないか又は小さい場合には、出力輝度信号にも高域成分が含まれないので、ドット妨害は生じない。
【００３２】
これに対し、出力輝度信号中にドット妨害を生じる色成分が含まれる場合には、静画Ｙ／Ｃ分離処理の出力にも高い周波数成分が含まれるか又は大きく、一方、動画Ｙ／Ｃ分離処理によるライン相関処理輝度信号には色成分（高域成分）含まれない。従って、上記判定条件（ａ），（ｂ）の両方を満足する場合には、出力輝度信号中にドット妨害を生じる色成分が含まれることが考えられる。
【００３３】
そこで、本実施の形態においては、上記判定条件（ａ），（ｂ）の両方を満足する場合には、高域成分（色成分）を含まない動画Ｙ／Ｃ分離処理出力の混合比をより高く設定する。これにより、色が高速に動く画像、或いは暗い画面に一瞬色が表示されるような画像であって、動きの判定に誤判定が生じる場合でも、Ｙ／Ｃ分離後の輝度信号に色信号成分が残ることを防止して、ドット妨害を軽減するようにしている。
【００３４】
高域成分検出回路１５は、上記判定条件（ａ），（ｂ）の判定を行う。即ち、高域成分検出回路１５は、ライン相関処理輝度信号及びフレーム相関処理輝度信号が入力され、ライン相関処理輝度信号及びフレーム相関処理輝度信号の高域成分を検出して、各信号に高域成分が含まれるか否か又はそのレベルの大小を判定する。高域成分検出回路１５はライン相関処理輝度信号及びフレーム相関処理輝度信号に含まれている高域成分に応じた補正信号を出力する。
【００３５】
なお、高域成分検出回路１５は、色搬送波帯域を高域成分として検出してもよく、また、ローパスフィルタ２３の阻止帯域を高域成分として検出してもよい。
【００３６】
例えば、高域成分検出回路１５は、判定条件（ａ）において第１の閾値を設定し、ライン相関処理輝度信号に含まれる高域成分のレベルが第１の閾値よりも小さいか否かによって、判定条件（ａ）を満足するか否かを判定してもよい。同様に、高域成分検出回路１５は、判定条件（ｂ）において第２の閾値を設定し、フレーム相関処理輝度信号に含まれる高域成分のレベルが第２の閾値よりも大きいか否かによって、判定条件（ｂ）を満足するか否かを判定してもよい。この場合には、高域成分検出回路１５は、判定条件（ａ），（ｂ）の両方を満足した場合には、ライン相関処理輝度信号の混合比を高くするための補正信号を出力する。
【００３７】
また、例えば、高域成分検出回路１５は、判定条件（ａ）において第１の閾値を設定し、ライン相関処理輝度信号に含まれる高域成分のレベルが第１の閾値よりも小さいか否かによって、判定条件（ａ）を満足するか否かを判定し、判定条件（ａ）を満足する場合には、判定条件（ｂ）のフレーム相関処理輝度信号に含まれる高域成分のレベルに応じた補正信号を出力するようにしてもよい。即ち、この場合には、フレーム相関処理輝度信号に含まれる高域成分のレベルが高くなるほどライン相関処理輝度信号の混合比を高くするための補正信号が得られる。
【００３８】
また、例えば、高域成分検出回路１５は、判定条件（ｂ）において第２の閾値を設定し、フレーム相関処理輝度信号に含まれる高域成分のレベルが第２の閾値よりも大きいか否かによって、判定条件（ｂ）を満足するか否かを判定し、判定条件（ｂ）を満足する場合には、判定条件（ａ）のライン相関処理輝度信号に含まれる高域成分のレベルに応じた補正信号を出力するようにしてもよい。
【００３９】
更に、高域成分検出回路１５は、判定条件（ａ），（ｂ）において、ライン相関処理輝度信号に含まれる高域成分のレベルとフレーム相関処理輝度信号に含まれる高域成分のレベルとに応じて、補正信号を求めてもよい。この場合の補正信号は、フレーム相関処理輝度信号に含まれる高域成分のレベルが高くなるほどライン相関処理輝度信号の混合比を高くし、ライン相関処理輝度信号に含まれる高域成分のレベルが低くなるほどライン相関処理輝度信号の混合比を低くするものとなる。
【００４０】
高域成分検出回路１５からの補正信号は混合比設定手段としての混合比補正回路１７に与えられる。混合比補正回路１７は、非線形処理／加重平均回路２４からの非相関検出結果に基づく混合比を発生すると共に、発生した混合比を補正信号に基づいて補正し、混合比制御信号としてミックス回路１６に供給するようになっている。例えば、混合比補正回路１７は、判定条件（ａ），（ｂ）を満足したことを示す補正信号が与えられた場合には、補正信号に応じてライン相関処理輝度信号の混合比を高くする混合比制御信号を発生する。また、混合比補正回路１７は、例えば、判定条件（ａ），（ｂ）を満足していないことを示す補正信号が与えられた場合には、非相関検出結果に基づく混合比をそのまま設定するための混合比制御信号を発生する。
【００４１】
次に、このように構成された実施の形態の動作について図２の波形図を参照して説明する。図２（ａ）は入力映像信号を示し、図２（ｂ）はフレーム相関処理輝度信号（フレーム相関Ｙ）を示し、図２（ｃ）はライン相関処理輝度信号（ライン相関Ｙ）を示し、図２（ｄ）は補正信号を示し、図２（ｅ）は非相関検出結果に基づく混合比をそのまま用いた場合の出力輝度信号を示し、図２（ｆ）は本実施の形態における出力輝度信号を示している。
【００４２】
動画Ｙ／Ｃ分離処理を行うライン相関Ｙ／Ｃ分離回路１２、静画Ｙ／Ｃ分離処理を行うフレーム相関Ｙ／Ｃ分離回路１４及び動き判定回路の動作は従来と同様である。即ち、入力された入力映像信号はラインメモリ部１１及びフレームメモリ部１３に与えられる。ラインメモリ部１１からはライン相関Ｙ／Ｃ分離回路１２に１水平期間前後の映像信号が供給される。ライン相関Ｙ／Ｃ分離回路１２は、１水平期間前後の映像信号を用いて、動画時の輝度信号であるライン相関処理輝度信号を発生してミックス回路１６に出力する。
【００４３】
一方、フレームメモリ部１３からはフレーム相関Ｙ／Ｃ分離回路１４に１フレーム期間前後の映像信号が供給される。フレーム相関Ｙ／Ｃ分離回路１４は、１フレーム期間前後の映像信号を用いて、静画時の輝度信号であるフレーム相関処理輝度信号を発生してミックス回路１６に出力する。
【００４４】
フレームメモリ部１３からの１フレーム期間前後の映像信号は１フレーム差分回路２２にも与えられる。１フレーム差分回路２２は入力された１フレーム期間前後の映像信号の差分を求めてローパスフィルタ２３に出力する。ローパスフィルタ２３によって、１フレーム期間前後の映像信号の差分から色搬送波帯域の成分が除去され、輝度の低域の動き成分が出力される。
【００４５】
フレームメモリ部１３からの２フレーム期間前後の映像信号は２フレーム差分回路２１に与えられる。２フレーム差分回路２１は入力された２フレーム期間前後の映像信号の差分を求める。２フレーム差分回路２１の出力は、色の動き成分である。非線形処理／加重平均回路２４は、輝度低域の動き成分と色の動き成分が与えられて、所定の非線形処理、加重平均処理等によって、絵柄の動きを検出し、非相関検出結果として出力する。
【００４６】
いま、図２（ａ）に示す映像信号が入力されるものとする。図２（ａ）の映像信号は、例えば、低輝度の絵柄の変化が少ない白黒画像に、色が一瞬出現したような映像を示している。また、図２のＡ，Ｂ期間は高周波成分をエンベロープによって示している。図２（ａ）の実線は輝度信号成分を示し、破線は色信号成分を示している。図２（ａ）に示す映像信号は、輝度の低域成分のレベルは十分に小さい。そして、期間Ａにおいて、比較的高いレベルの輝度高域成分が生じている。また、期間Ｂにおいては、比較的高いレベルの色成分が含まれる。この色成分は、期間Ｂのみに一瞬生じたものであり、２フレーム差分回路２１によっては検出不能で、期間Ｂにおいても２フレーム差分回路２１からの色の動き成分は十分に小さい。このため、非線形処理／加重平均回路２４からは、図２（ａ）の映像信号を静画と判定した非相関検出結果が出力される。
【００４７】
図２（ｂ）はこの場合のフレーム相関Ｙ／Ｃ分離回路１４の出力を示している。フレーム相関Ｙ／Ｃ分離回路１４は、１フレーム相関を求めている。Ｂ期間は例えば２フレーム期間よりも短い期間であり、フレーム相関Ｙ／Ｃ分離回路１４に入力された２フレームの映像信号のうち前フレームの映像信号のレベルは十分に小さく、Ｂ期間内の後フレームの映像信号は十分なレベルである。この場合には、フレーム相関Ｙ／Ｃ分離回路１４からはＡ，Ｂ期間の両方においてレベルが高く、他の期間のレベルが低いフレーム相関処理輝度信号が得られる。
【００４８】
図２（ｃ）はライン相関Ｙ／Ｃ分離回路１２の出力を示している。例えば、ライン相関Ｙ／Ｃ分離回路１２は、搬送色帯域を通過させるバンドパスフィルタの出力の１ライン前後の差分によって動画時の色成分を求め、入力映像信号から色信号を減算することで動画時の輝度信号を求める。Ｂ期間が例えば２水平期間よりも長い期間であれば、ライン相関Ｙ／Ｃ分離回路１２からはＢ期間の色成分が除去された輝度信号成分が出力される。
【００４９】
高域成分検出回路１５はライン相関処理輝度信号とフレーム相関処理輝度信号との高域成分を検出する。図２（ｂ），（ｃ）に示すように、Ａ期間においては、ライン相関処理輝度信号及びフレーム相関処理輝度信号の両方の高域成分のレベルが十分に高く、判定条件（ａ），（ｂ）は同時に満足されない。また、Ａ，Ｂ期間以外の期間においては、ライン相関処理輝度信号及びフレーム相関処理輝度信号の両方の高域成分のレベルは十分に低く、この場合にも判定条件（ａ），（ｂ）は同時に満足されない。
【００５０】
これに対し、Ｂ期間においては、ライン相関処理輝度信号の高域成分のレベルは十分に小さく、フレーム相関処理輝度信号の高域成分のレベルは十分に大きい。従って、Ｂ期間については判定条件（ａ），（ｂ）を同時に満足し、高域成分検出回路１５は、Ｂ期間のみに、ライン相関処理輝度信号の混合比を高くするための補正信号（図２（ｄ））を出力する。
【００５１】
混合比補正回路１７は、補正信号を用いて非相関検出結果を補正する。即ち、この場合には、混合比補正回路１７は、Ｂ期間以外の期間において非相関検出結果に基づく混合比をそのまま設定すると共に、Ｂ期間においては非相関検出結果に基づく混合比に対してライン相関処理輝度信号の混合比を高くするように設定した混合比制御信号を出力する。
【００５２】
仮に、混合比補正回路１７が非相関検出結果に基づく混合比をそのままミックス回路１６に設定した場合には、ミックス回路１６において全期間に渡ってフレーム相関処理輝度信号が高い混合比で出力されることになり、出力輝度信号にはＢ期間に含まれる色信号成分が除去されずに残ったままとなる（図２（ｅ）参照）。
【００５３】
これに対し、本実施の形態においては、ミックス回路１６は混合比補正回路１７からの補正された混合比制御信号によって指示された混合比で、ライン相関処理輝度信号とフレーム相関処理輝度信号とを混合し、出力輝度信号として出力する。この場合には、図２（ｆ）に示すように、Ｂ期間におけるレベルが十分に低減された出力輝度信号が得られる。
【００５４】
このように本実施の形態においては、ライン相関処理輝度信号の高域成分とフレーム相関処理輝度信号の高域成分とを検出することで、輝度信号に色信号成分が除去されずに残って出力されてしまうことを判定する。そしてこのような判定結果が得られた場合には、ライン相関処理輝度信号の混合比を高くするように混合比制御信号を補正する。これにより、色が高速に動く場合等においてもドット妨害が発生することを防止することができる。例えば、暗い画像中において一瞬色が表示される場合におけるドット妨害等を軽減することができる。即ち、本実施の形態においては、相関のない絵柄を用いたフレーム相関Ｙ／Ｃ分離処理によって発生するドット妨害を、動画Ｙ／Ｃ分離処理に切換えるか又は動画Ｙ／Ｃ分離処理による出力の混合比を高くすることで除去している。
【００５５】
なお、上記実施の形態においては、判定条件（ｂ）として、静画相関Ｙ／Ｃ分離処理の出力の高域成分を検出して判定を行った。この判定条件（ｂ）に代えて、ミックス回路１６からの出力輝度信号に、高い周波数成分が含まれるか又は大きいことを判定条件（ｂ）’として用いてよい。判定条件（ａ），（ｂ）’の両方を満足するか否かによって、補正信号を生成する。なお、この場合には、ミックス回路１６の出力を用いて、ライン相関処理輝度信号とフレーム相関処理輝度信号との混合比を決定するので、他のミックス回路や遅延回路等が必要となる。
【００５６】
図３は図１の実施の形態に採用可能な高域成分検出回路を示すブロック図である。図３の回路は、補正信号として、上記条件（ａ），（ｂ）を同時に満足したか否かのみを示す２値の出力を出力するものである。
【００５７】
ライン相関処理輝度信号はハイパスフィルタ３１Ｌに与えられ、フレーム相関処理輝度信号はハイパスフィルタ３１Ｆに与えられる。ハイパスフィルタ３１Ｌ，３１Ｆは、夫々入力された輝度信号の高域成分を通過させる。ハイパスフィルタ３１Ｌからのライン相関処理輝度信号の高域成分は絶対値処理回路３２Ｌに与えられ、ハイパスフィルタ３１Ｆからのフレーム相関処理輝度信号の高域成分は絶対値処理回路３２Ｆに与えられる。絶対値処理回路３２Ｌ，３２Ｆは、夫々入力された輝度信号高域成分に対する絶対値処理によって高域成分のレベルを求める。
【００５８】
絶対値処理回路３２Ｌ，３２Ｆは夫々求めた高域成分のレベルを固定値比較回路３３Ｌ，３３Ｆに出力する。固定値比較回路３３Ｌ，３３Ｆは、夫々入力されたレベルをライン相関処理用の第１の閾値とフレーム相関処理用の第２の閾値と比較する。固定値比較回路３３Ｌは、入力されたレベルが第１の閾値よりも小さいか否かを判定する。また、固定値比較回路３３Ｆは、入力されたレベルが第２の閾値よりも大きい否かを判定する。
【００５９】
固定値比較回路３３Ｌは、判定結果が真であれば、即ち、上記判定条件（ａ）を満足すると、論理値“１”を出力し、そうでなければ、論理値“０”を出力する。同様に、固定値比較回路３３Ｆは、判定結果が真であれば、即ち、上記判定条件（ｂ）を満足すると、論理値“１”を出力し、そうでなければ、“０”を出力する。固定値比較回路３３Ｌ，３３Ｆの出力はアンド回路３４に与えられる。アンド回路３４は、２入力のアンド演算を行って、補正信号を得る。
【００６０】
即ち、アンド回路３４からは、上記判定条件（ａ），（ｂ）を同時に満足する場合にのみ、“１”となり他の場合は“０”となる補正信号が得られる。
【００６１】
なお、高域成分検出回路としては、ライン相関処理輝度信号の高域成分とフレーム相関処理輝度信号の高域成分とを相互に比較することで、上記判定条件を満足したか否かを求めることも可能である。しかし、ライン相関Ｙ／Ｃ分離処理とフレーム相関Ｙ／Ｃ分離処理とは相互に独立した処理であり、これらの出力同士を直接比較したとしても、必ずしも良好な判定結果が得られるとは限らない。そこで、図３においては、ライン相関処理輝度信号の高域成分とフレーム相関処理輝度信号の高域成分とを夫々個別の閾値と比較することで、上記判定条件を満足したか否かを判定するようになっている。
【００６２】
また、図４は高域成分検出回路の変形例を示すブロック図である。図４の回路は、ハイパスフィルタ３１Ｌ，３１Ｆに夫々代えてバンドパスフィルタ３５Ｌ，３５Ｆを採用した点が図３の回路と異なる。
【００６３】
バンドパスフィルタ３５Ｌ，３５Ｆは、夫々入力された輝度信号の色搬送波帯域を通過させる。即ち、ハイパスフィルタ３５Ｌはライン相関処理輝度信号の色搬送波帯域を通過させて絶対値処理回路３２Ｌに与える。また、ハイパスフィルタ３５Ｆはフレーム相関処理輝度信号の色搬送波帯域を通過させて絶対値処理回路３２Ｆに与える。
【００６４】
他の作用効果は図３と同様である。
【００６５】
なお、図３及び図４において、ハイパスフィルタ３１Ｌ，３１Ｆ，３５Ｌ，３５Ｆとしては、図１のローパスフィルタ２３の阻止帯域を通過させるものであってもよい。
【００６６】
＜第２の実施の形態＞
図５は本発明の第２の実施の形態を示すブロック図である。図５において図１と同一の構成要素には同一符号を付して説明を省略する。
【００６７】
本実施の形態は高域成分検出回路が上記判定条件（ａ），（ｂ）の両方を同時に満足するか否かを示す２値の信号を出力する場合に適用させた例である。即ち、高域成分検出回路としては、図３又は図４に示す回路を採用することができる。
【００６８】
本実施の形態は高域成分検出回路１５及び混合比補正回路１７に夫々代えて高域成分検出回路４１及び混合比補正回路４３を採用すると共に、スイッチ４２を採用した点が第１の実施の形態と異なる。
【００６９】
高域成分検出回路４１は、図３又は図４と同様の構成を有しており、上記判定条件（ａ），（ｂ）の両方を同時に満足する場合には“１”となり、他の場合には“０”となる２値の補正制御信号を出力する。この補正制御信号はスイッチ４２の制御に用いられる。スイッチ４２には補正値が供給されており、スイッチ４２は“１”の補正制御信号が与えられると補正値を混合比補正回路４３に与えるようになっている。スイッチ４２は“０”の補正制御信号が与えられた場合には、補正値を混合比補正回路４３に出力しない。
【００７０】
混合比補正回路４３は、非線形処理／加重平均回路２４からの非相関検出結果に基づく混合比を求め、この混合比にスイッチ４２からの補正値を加算して、ミックス回路１６に設定する混合比を算出する。そして、この混合比を指定するための混合比制御信号をミックス回路１６に出力するようになっている。
【００７１】
次に、このように構成された実施の形態の動作について説明する。
【００７２】
いま、上記判定条件（ａ），（ｂ）を同時に満足しない映像信号が入力されるものとする。即ち、この場合には、従来と同様の動き適応Ｙ／Ｃ分離処理を行っても、出力輝度信号に色信号が残ってドット妨害が生じることはない。この場合には、高域成分検出回路４１からの補正制御信号は“０”であり、スイッチ４２は補正値を混合比補正回路４３に出力しない。従って、混合比補正回路４３は、非線形処理／加重平均回路２４からの非相関検出結果に基づく混合比をそのまま設定するための混合比制御信号を発生する。これにより、ミックス回路１６は非相関検出結果に基づく混合比で、ライン相関処理輝度信号及びフレーム相関処理輝度信号を混合して、出力輝度信号を得る。
【００７３】
ここで、上記判定条件（ａ），（ｂ）を同時に満足する映像信号が入力されるものとする。この場合には、高域成分検出回路４１からの補正制御信号は“１”であり、スイッチ４２は補正値を混合比補正回路４３に与える。混合比補正回路４３は、非線形処理／加重平均回路２４からの非相関検出結果に基づく混合比に補正値を加算し、加算結果の混合比を設定するための混合比制御信号を発生する。
【００７４】
補正値として、０＜補正値≦１を設定することによって、ライン相関処理輝度信号の混合比を高くすることができる。例えば、補正値としては、「１／２」や「１」等の所定の固定値を設定することができる。なお、補正値として「１」を採用した場合には、非相関検出結果に基づく混合比と補正値との加算値は必ず１を超えるが、設定する混合比は１以下の値であるので、混合比補正回路４３は、１を上限とするリミット処理を行った後混合比を決定する。
【００７５】
こうして、この場合には、ミックス回路１６には、非相関検出結果に基づく混合比よりもライン相関処理輝度信号の混合比を高く設定するための混合比制御信号が入力される。これにより、ミックス回路１６からの出力輝度信号は動画処理によるライン相関処理輝度信号の混合比が高くなり、例えば色が高速に動く画像であっても、色が残ってドット妨害が生じることを防止することができる。
【００７６】
他の作用及び効果は第１の実施の形態と同様である。
【００７７】
なお、本実施の形態においては、補正値として固定値を採用する例を説明したが、補正値は適宜変更してもよいことは明らかである。例えば、高域成分検出回路からライン相関処理輝度信号及びフレーム相関処理輝度信号の高域成分の検出結果に応じてステップ状又は連続的に変化する補正信号が出力される場合には、この補正信号のレベルに応じて変化する補正値を設定するようにしてもよい。
【００７８】
＜第３の実施の形態＞
図６は本発明の第３の実施の形態を示すブロック図である。図６において図５と同一の構成要素には同一符号を付して説明を省略する。
【００７９】
本実施の形態は高域成分検出回路が上記判定条件（ａ），（ｂ）の両方を同時に満足したことを検出した場合に、ライン相関処理輝度信号の混合比を１にする例である。
【００８０】
本実施の形態は混合比補正回路４３に代えて混合比出力回路５１を採用すると共に、スイッチ５２を付加した点が第２の実施の形態と異なる。
【００８１】
高域成分検出回路４１は、上記判定条件（ａ），（ｂ）の両方を同時に満足する場合には“１”となり、他の場合には“０”となる２値の補正制御信号を出力する。この補正制御信号はスイッチ５２の制御に用いられる。
【００８２】
混合比出力回路５１は、非線形処理／加重平均回路２４からの非相関検出結果に基づく混合比をミックス回路１６に設定するための混合比制御信号を発生してミックス回路１６に出力するようになっている。
【００８３】
本実施の形態においては、ミックス回路１６の出力はスイッチ５２の端子ａに与えられる。スイッチ５２の端子ｂにはライン相関Ｙ／Ｃ分離回路１２の出力が供給される。スイッチ５２は“０”の補正制御信号が与えられると端子ａを選択し、“１”の補正制御信号が与えられると端子ｂを選択して、選択した端子に供給される輝度信号を出力輝度信号として出力するようになっている。
【００８４】
次に、このように構成された実施の形態の動作について説明する。
【００８５】
本実施の形態においては、混合比出力回路５１は、非線形処理／加重平均回路２４からの非相関検出結果に基づく混合比をそのまま設定するための混合比制御信号を発生する。ミックス回路１６は混合比制御信号に基づく混合比で、ライン相関処理輝度信号とフレーム相関処理輝度信号とを混合してスイッチ５２の端子ａに出力する。一方、ライン相関Ｙ／Ｃ分離回路１２からのライン相関処理輝度信号は直接スイッチ５２の端子ｂに供給されている。
【００８６】
いま、上記判定条件（ａ），（ｂ）を同時に満足しない映像信号が入力されるものとする。即ち、この場合には、従来と同様の動き適応Ｙ／Ｃ分離処理を行っても、出力輝度信号に色信号が残ってドット妨害が生じることはない。この場合には、高域成分検出回路４１からの補正制御信号は“０”であり、スイッチ５２は端子ａを選択する。これにより、ミックス回路１６からの出力輝度信号がそのまま出力される。
【００８７】
ここで、上記判定条件（ａ），（ｂ）を同時に満足する映像信号が入力されるものとする。この場合には、高域成分検出回路４１からの補正制御信号は“１”であり、スイッチ５２は端子ｂを選択する。従って、この場合には、動画処理によって分離されたライン相関処理輝度信号がそのまま出力輝度信号として出力される。これにより、輝度信号に高速に動く色の成分が残ることを防止して、ドット妨害の発生を軽減することができる。
【００８８】
他の作用及び効果は第２の実施の形態と同様である。
【図面の簡単な説明】
【００８９】
【図１】本発明の第１の実施の形態に係るＹ／Ｃ分離回路を示すブロック図。
【図２】実施の形態の動作を説明するための波形図。
【図３】図１の実施の形態に採用可能な高域成分検出回路を示すブロック図。
【図４】高域成分検出回路の変形例を示すブロック図。
【図５】本発明の第２の実施の形態を示すブロック図。
【図６】本発明の第３の実施の形態を示すブロック図。
【符号の説明】
【００９０】
１１…ラインメモリ部、１２…ライン相関Ｙ／Ｃ分離回路、１３…フレームメモリ部、１４…フレーム相関Ｙ／Ｃ分離回路、１５…高域成分検出回路、１６…ミックス回路、１７…混合比補正回路、２１…２フレーム差分回路、２２…１フレーム差分回路、２３…ローパスフィルタ、２４…非線形処理／加重平均回路。  
【図１】
2007134824.tif 000003
【図２】
2007134824.tif 000004
【図３】
2007134824.tif 000005
【図４】
2007134824.tif 000006
【図５】
2007134824.tif 000007
【図６】
2007134824.tif 000008